(57)【特許請求の範囲】
【請求項１】
セルラー通信システムの通信装置であって、
コントローラー及び送受信機を備え、
前記コントローラーは、前記送受信機を制御して、前記セルラー通信システムの該通信装置と無線ローカルエリアネットワーク（ＷＬＡＮ）の通信装置との間のインターフェースをセットアップするインターフェースセットアップ手順に従って、前記ＷＬＡＮの前記通信装置と通信するように動作可能であり、
前記インターフェースセットアップ手順の一部として、前記コントローラーは、前記送受信機を制御して、
インターフェースセットアップ要求メッセージを前記ＷＬＡＮの前記通信装置に送信することと、
前記インターフェースセットアップ要求メッセージに応答して、インターフェースセットアップ応答メッセージを受信することであって、該インターフェースセットアップ応答メッセージは、前記ＷＬＡＮの少なくとも１つのアクセスポイント（ＡＰ）のアクセスモードを特定する情報を含むことと、
を行うように動作可能であり、
前記コントローラーは、前記インターフェースセットアップ手順に基づいて前記セルラー通信システムの該通信装置において前記インターフェースをセットアップするように動作可能であり、前記送受信機を制御して、前記セルラー通信システムの前記通信装置によってサービングされる通信デバイスのコンテキストを前記ＷＬＡＮの前記通信装置において確立する手順に従って前記ＷＬＡＮの前記通信装置と通信するように動作可能であり、
前記通信デバイスについてメンバーシップチェックが前記ＷＬＡＮの前記通信装置によって実行されることを要求するメッセージを前記ＷＬＡＮの前記通信装置に送信し、前記メンバーシップチェックが実行されることを要求するメッセージに応答して送信されたメッセージにおいて、前記通信デバイスがアクセスすることができる少なくとも１つのアクセスポイントを特定する情報を前記ＷＬＡＮの前記通信装置から受信するように動作可能である、
通信装置。
【請求項２】
前記通信デバイスのコンテキストを確立する手順の一部として、前記コントローラーは、前記送受信機を制御して、前記通信デバイスがアクセスすることができる少なくとも１つのアクセスポイントを特定する前記情報を受信するように動作可能である、請求項１に記載の通信装置。
【請求項３】
前記コントローラーは、前記送受信機を制御して、前記通信デバイスがアクセスすることができる少なくとも１つのアクセスポイントを特定する前記情報を前記通信デバイスから受信するように動作可能である、請求項２に記載の通信装置。
【請求項４】
前記コントローラーは、前記送受信機を制御して、測定報告と、前記通信デバイスの少なくとも１つの能力を特定する情報を提供するメッセージと、前記通信デバイスと少なくとも１つのＡＰとの間の関連付けを示す情報を提供する専用メッセージとのうちの少なくとも１つにおいて、前記通信デバイスがアクセスすることができる少なくとも１つのアクセスポイントを特定する前記情報を前記通信デバイスから受信するように動作可能である、請求項３に記載の通信装置。
【請求項５】
前記コントローラーは、前記送受信機を制御して、前記通信デバイスと少なくとも１つのＡＰとの間の関連付けを示す情報を提供する専用メッセージにおいて、前記通信デバイスがアクセスすることができる少なくとも１つのアクセスポイントを特定する前記情報を前記ＷＬＡＮの前記通信装置から受信するように動作可能である、請求項４に記載の通信装置。
【請求項６】
前記コントローラーは、前記送受信機を制御して、前記通信デバイスと少なくとも１つのＡＰとの間の関連付けを示す情報を要求する専用メッセージを前記ＷＬＡＮの前記通信装置に送信するように動作可能であり、前記通信デバイスと少なくとも１つのＡＰとの間の関連付けを示す情報を提供する前記専用メッセージは、前記通信デバイスと少なくとも１つのＡＰとの間の関連付けを示す情報を要求する前記メッセージに応答して、前記ＷＬＡＮの前記通信装置によって提供される、請求項５に記載の通信装置。
【請求項７】
前記通信デバイスのコンテキストを確立する手順の一部として、前記コントローラーは、前記送受信機を制御して、前記通信デバイス及び前記ＷＬＡＮの前記通信装置のうちの少なくとも一方から、前記通信デバイスが少なくとも１つのアクセスポイントにアクセスすることができないことを示すメッセージを受信するように動作可能である、請求項１〜６のいずれか１項に記載の通信装置。
【請求項８】
前記通信デバイスが少なくとも１つのアクセスポイントにアクセスすることができないことを示す前記メッセージは、前記通信デバイスを前記ＷＬＡＮのアクセスポイントに関連付けることに失敗したことを、アクセス制御が該関連付けを妨げたことを示すように設定された失敗原因とともに示すメッセージを含む、請求項７に記載の通信装置。
【請求項９】
前記コントローラーは、前記送受信機を制御して、前記通信装置と、前記インターフェースを除去するＷＬＡＮトリガー手順に従って通信するように動作可能である、請求項１〜８のいずれか１項に記載の通信装置。
【請求項１０】
前記インターフェースを除去する前記ＷＬＡＮトリガー手順の一部として、前記コントローラーは、前記送受信機を制御して、
前記ＷＬＡＮの前記通信装置からインターフェース除去要求メッセージを受信することと、
前記インターフェース除去要求メッセージに応答して、インターフェース除去応答メッセージを前記ＷＬＡＮの前記通信装置に送信することと、
を行うように動作可能であり、
前記コントローラーは、前記インターフェースを除去する前記ＷＬＡＮトリガー手順に基づいて、前記セルラー通信システムの前記通信装置において前記インターフェースを除去するように動作可能である、請求項９に記載の通信装置。
【請求項１１】
前記インターフェース除去応答メッセージは、前記除去の原因を含む、請求項１０に記載の通信装置。
【請求項１２】
無線ローカルエリアネットワーク（ＷＬＡＮ）の通信装置であって、
コントローラー及び送受信機を備え、
前記コントローラーは、前記送受信機を制御して、セルラー通信システムの通信装置と前記ＷＬＡＮの該通信装置との間のインターフェースをセットアップするインターフェースセットアップ手順に従って、前記セルラー通信システムの前記通信装置と通信するように動作可能であり、
前記インターフェースセットアップ手順の一部として、前記コントローラーは、前記送受信機を制御して、
前記セルラー通信システムの前記通信装置からインターフェースセットアップ要求メッセージを受信することと、
前記インターフェースセットアップ要求メッセージに応答して、前記セルラー通信システムの前記通信装置にインターフェースセットアップ応答メッセージを送信することであって、該インターフェースセットアップ応答メッセージは、前記ＷＬＡＮの少なくとも１つのアクセスポイント（ＡＰ）のアクセスモードを特定する情報を含むことと、
を行うように動作可能であり、
前記コントローラーは、前記インターフェースセットアップ手順に基づいて前記ＷＬＡＮの該通信装置において前記インターフェースをセットアップするように動作可能であり、前記送受信機を制御して、前記セルラー通信システムの前記通信装置によってサービングされる通信デバイスのコンテキストを前記ＷＬＡＮの前記通信装置において確立する手順に従って前記セルラー通信システムの前記通信装置と通信するように動作可能であり、
前記通信デバイスについてメンバーシップチェックが前記ＷＬＡＮの前記通信装置によって実行されることを要求するメッセージを前記セルラー通信システムの前記通信装置から受信し、前記メンバーシップチェックが実行されることを要求するメッセージに応答して、前記通信デバイスがアクセスすることができる少なくとも１つのアクセスポイントを特定する情報を含むメッセージを前記セルラー通信システムの前記通信装置に送信するように動作可能である、
通信装置。
【請求項１３】
請求項１〜１１のいずれか１項に記載のセルラー通信システムの少なくとも１つの通信装置と、請求項１２に記載の無線ローカルエリアネットワーク（ＷＬＡＮ）の少なくとも１つの通信装置と、通信デバイスとを備える、通信システム。
【請求項１４】
セルラー通信システムの通信装置によって実行される方法であって、
前記セルラー通信システムの前記通信装置と無線ローカルエリアネットワーク（ＷＬＡＮ）の通信装置との間のインターフェースをセットアップするインターフェースセットアップ手順に従って、前記ＷＬＡＮの前記通信装置と通信することを含み、
前記インターフェースセットアップ手順は、
前記ＷＬＡＮの前記通信装置にインターフェースセットアップ要求メッセージを送信することと、
前記インターフェースセットアップ要求メッセージに応答して、インターフェースセットアップ応答メッセージを受信することであって、該インターフェースセットアップ応答メッセージは、前記ＷＬＡＮの少なくとも１つのアクセスポイント（ＡＰ）のアクセスモードを特定する情報を含むことと、
前記セルラー通信システムの前記通信装置において前記インターフェースをセットアップすることと、
前記セルラー通信システムの前記通信装置によってサービングされる通信デバイスのコンテキストを前記ＷＬＡＮの前記通信装置において確立する手順に従って前記ＷＬＡＮの前記通信装置と通信することと、を含み、
前記通信デバイスについてメンバーシップチェックが前記ＷＬＡＮの前記通信装置によって実行されることを要求するメッセージを前記ＷＬＡＮの前記通信装置に送信することと、
前記メンバーシップチェックが実行されることを要求するメッセージに応答して送信されたメッセージにおいて、前記通信デバイスがアクセスすることができる少なくとも１つのアクセスポイントを特定する情報を前記ＷＬＡＮの前記通信装置から受信することと、
を含む、方法。
【請求項１５】
無線ローカルエリアネットワーク（ＷＬＡＮ）の通信装置によって実行される方法であって、
セルラー通信システムの通信装置と前記ＷＬＡＮの前記通信装置との間のインターフェースをセットアップするインターフェースセットアップ手順に従って、前記セルラー通信システムの前記通信装置と通信することを含み、
前記インターフェースセットアップ手順は、
前記セルラー通信システムの前記通信装置からインターフェースセットアップ要求メッセージを受信することと、
前記インターフェースセットアップ要求メッセージに応答して、前記セルラー通信システムの前記通信装置にインターフェースセットアップ応答メッセージを送信することであって、該インターフェースセットアップ応答メッセージは、前記ＷＬＡＮの少なくとも１つのアクセスポイント（ＡＰ）のアクセスモードを特定する情報を含むことと、
前記ＷＬＡＮの前記通信装置において前記インターフェースをセットアップすることと、
前記セルラー通信システムの前記通信装置によってサービングされる通信デバイスのコンテキストを前記ＷＬＡＮの前記通信装置において確立する手順に従って前記セルラー通信システムの前記通信装置と通信することと、を含み、
前記通信デバイスについてメンバーシップチェックが前記ＷＬＡＮの前記通信装置によって実行されることを要求するメッセージを前記セルラー通信システムの前記通信装置から受信することと、
前記メンバーシップチェックが実行されることを要求するメッセージに応答して、前記通信デバイスがアクセスすることができる少なくとも１つのアクセスポイントを特定する情報を含むメッセージを前記セルラー通信システムの前記通信装置に送信することと、
を含む、方法。
【請求項１６】
セルラー通信システムの通信装置のコンピュータによって実行されるプログラムであって、
前記セルラー通信システムの前記通信装置と無線ローカルエリアネットワーク（ＷＬＡＮ）の通信装置との間のインターフェースをセットアップするインターフェースセットアップ手順に従って、前記ＷＬＡＮの前記通信装置と通信するための前記プログラムであって、
前記インターフェースセットアップ手順は、
前記ＷＬＡＮの前記通信装置にインターフェースセットアップ要求メッセージを送信することと、
前記インターフェースセットアップ要求メッセージに応答して、前記ＷＬＡＮの少なくとも１つのアクセスポイント（ＡＰ）のアクセスモードを特定する情報を含むインターフェースセットアップ応答メッセージを受信することと、
前記セルラー通信システムの前記通信装置において前記インターフェースをセットアップすることと、
前記セルラー通信システムの前記通信装置によってサービングされる通信デバイスのコンテキストを前記ＷＬＡＮの前記通信装置において確立する手順に従って前記ＷＬＡＮの前記通信装置と通信することと、を含み、
前記プログラムは、
前記通信デバイスについてメンバーシップチェックが前記ＷＬＡＮの前記通信装置によって実行されることを要求するメッセージを前記ＷＬＡＮの前記通信装置に送信することと、
前記メンバーシップチェックが実行されることを要求するメッセージに応答して送信されたメッセージにおいて、前記通信デバイスがアクセスすることができる少なくとも１つのアクセスポイントを特定する情報を前記ＷＬＡＮの前記通信装置から受信することと、を含む、プログラム。
【請求項１７】
無線ローカルエリアネットワーク（ＷＬＡＮ）の通信装置のコンピュータによって実行されるプログラムであって、
セルラー通信システムの通信装置と前記ＷＬＡＮの前記通信装置との間のインターフェースをセットアップするインターフェースセットアップ手順に従って、前記セルラー通信システムの前記通信装置と通信するための前記プログラムであって、
前記インターフェースセットアップ手順は、
前記セルラー通信システムの前記通信装置からインターフェースセットアップ要求メッセージを受信することと、
前記インターフェースセットアップ要求メッセージに応答して、前記セルラー通信システムの前記通信装置にインターフェースセットアップ応答メッセージを送信することであって、該インターフェースセットアップ応答メッセージは、前記ＷＬＡＮの少なくとも１つのアクセスポイント（ＡＰ）のアクセスモードを特定する情報を含むことと、
前記ＷＬＡＮの前記通信装置において前記インターフェースをセットアップすることと、
前記セルラー通信システムの前記通信装置によってサービングされる通信デバイスのコンテキストを前記ＷＬＡＮの前記通信装置において確立する手順に従って前記セルラー通信システムの前記通信装置と通信することと、を含み、
前記プログラムは、
前記通信デバイスについてメンバーシップチェックが前記ＷＬＡＮの前記通信装置によって実行されることを要求するメッセージを前記セルラー通信システムの前記通信装置から受信することと、
前記メンバーシップチェックが実行されることを要求するメッセージに応答して、前記通信デバイスがアクセスすることができる少なくとも１つのアクセスポイントを特定する情報を含むメッセージを前記セルラー通信システムの前記通信装置に送信することと、
を含む、プログラム。
【発明の詳細な説明】
【技術分野】
【０００１】
本発明は、通信システムに関する。本発明は、これに限定されるものではないが特に、ユニバーサル陸上無線アクセスネットワーク（ＵＴＲＡＮ）、及びロングタームエボリューションアドバンスト（ＬＴＥ-Ａ）を含む、ＵＴＲＡＮのＬＴＥ（Ｅ−ＵＴＲＡＮ）等の、第３世代パートナーシッププロジェクト（３ＧＰＰ）規格又はその均等物又は派生物に従って動作する無線通信システム及びそのデバイスに関する。本発明は、これに限定されるものではないが、例えば、いわゆるＬＴＥ／ＷＬＡＮアグリゲーション（ＬＷＡ）及び／又はＬＴＥ  ＷＬＡＮ網間接続（ＬＷＩ）によって無線ローカルエリアネットワーク（ＷＬＡＮ）をＬＴＥ／ＬＴＥ−Ａに取り入れて利用できるようにすることにも一部関係する。
【背景技術】
【０００２】
ＬＴＥ、より最近ではＬＴＥ−Ａの拡張形態を組み込んだＬＴＥは、無線広帯域データ能力に対する増加する需要を満たす、極めて成功したプラットフォームであることが実証されている。しかしながら、セルラー技術の進歩は、性能及び容量の改善をもたらしてきたが、移動データ使用量が年ごとに倍増することに伴う移動データ供給の絶えず増加する需要を満たすには、これだけでは不十分である。
【０００３】
したがって、需要が増加するにつれて、既存のＬＴＥ／ＬＴＥアドバンスト技術を補完するとともにそれらのサービスを更に強化するのに用いることができる更に別の特徴的機能の必要性も高まり続けている。これは、免許不要スペクトル又は「公共」スペクトル（通常は５ＧＨｚ帯域）が更なる強化の潜在源とみなされることにつながっている。免許不要スペクトルを介した通信の利益は、現在、免許制度を介して提供される利益と比較することはできないが、免許スペクトルの使用を補完するものとしての免許不要スペクトルの効率的な使用は、提供されるサービス全体を大幅に強化する可能性を有する。
【０００４】
データを免許不要スペクトルにオフロードする従来の方法は、無線ローカルエリアネットワーク（ＷＬＡＮ）を用いてきた。Ｗｉ−Ｆｉとも呼ばれるＷＬＡＮは、ＩＥＥＥ８０２．１１標準規格によって仕様が定められた無線データ通信ネットワークである。ＷＬＡＮオフロードのアーキテクチャフレームワーク及び標準化を提供するために、３ＧＰＰは、アクセスネットワーク発見及び選択機能（ＡＮＤＳＦ：Access Network Discovery and Selection Function）、ＩＰフローモビリティ（ＩＦＯＭ）、及びＧＴＰに基づくＳ２ａモビリティ（ＳａＭＯＧ）等の幾つかの解決策を開発してきた。これらは、ＷＬＡＮとの網間接続を可能にし、ＷＬＡＮへのデータベアラの切り替えを通じてデータオフロードを提供する。ＬＴＥ及びＷＬＡＮの網間接続の比較的新しい提案は、データアグリゲーションが無線アクセスネットワーク（ＲＡＮ）において行われるいわゆる「ＬＴＥ／ＷＬＡＮアグリゲーション」（ＬＷＡ）である。ＬＷＡでは、ＬＴＥ基地局（進化型ノードＢ又は「ｅＮＢ」とも呼ばれる）は、ＬＴＥ無線リンク及びＷｉ−Ｆｉ無線リンク上でサービングされるようにパケットをスケジューリングする。このメカニズムは、リリース１０及びリリース１２に規定されたキャリアアグリゲーション及びデュアルコネクティビティの特徴と類似している。
【０００５】
ＬＷＡの利点としては、双方のリンク上のリソースの制御及び利用が改良されていることがあり、その結果、ユーザー間の改良された無線リソース管理によって、複数のユーザーのアグリゲートされたスループットを増大させることができ、全システム容量を増加させることができるという利益が得られる。ポリシー及びトリガーに依拠した以前のオフロードメカニズムとは異なり、ＬＷＡでは、各リンクのスケジューリング決定は、リアルタイムチャネル状態及びシステム利用に基づいてパケットレベルで行うことができる。さらに、ＲＡＮにおけるデータアグリゲーションは、コアネットワークに対する変更を伴うことなく実施することができる。なぜならば、ＷＬＡＮ無線リンクは、事実上、Ｅ−ＵＴＲＡＮの一部になるからである。３ＧＰＰは、リリース１３（Ｒｅｌ−１３）スケジュールに従って完成されるＬＴＥ／ＷＬＡＮアグリゲーションに関するＲｅｌ−１３作業項目を承認した。「無線アグリゲーション」という用語は、ＲＡＮレベルにおけるＬＷＡと同義語として用いることができる。無線レベルアグリゲーションによって（Ｈ（ｅ）ＮＢの場合と異なり、ＷＬＡＮネットワークは、ＥＰＣへの疎結合を有するＥ−ＵＴＲＡＮの一部とみなされるので）、アクセス制御及びメンバーシップチェックは、扱いにくい大きな負荷を伴うプロセスになっている。
【０００６】
ＬＷＡアグリゲーションを容易にするために、制御プレーン及びユーザー（データ）プレーンの通信のためのｅＮＢとＷＬＡＮ（実際には、ＷＬＡＮ終端器（ＷＴ）ポイントと呼ばれる論理ノード）との間の新たな論理インターフェース、いわゆる「Ｘｗ」インターフェースに基づくことを含めて、新たなアプリケーションプロトコルＸｗＡＰが定義されている。ＸｗＡＰプロトコルは、次の機能、すなわち、Ｘｗのセットアップと、ＷＴ構成更新と、ＷＬＡＮステータス報告と、ＬＴＥ−ＷＬＡＮアグリゲーションとを提供する。Ｘｗ機能のセットアップは、ｅＮＢ及びＷＴがＸｗインターフェースをセットアップし、Ｘｗリセットを暗に実行するのに必要なデータを交換するのに用いられる。ＷＴ構成機能は、ｅＮＢ及びＷＴがＸｗインターフェース上で正常に相互動作するのに必要とされるアプリケーションレベルデータの更新を可能にする。ＷＬＡＮステータス報告機能は、ｅＮＢがＷＴから負荷関連情報の報告を構成することを可能にする。ＬＴＥ−ＷＬＡＮアグリゲーション機能は、ｅＮＢ５が、或る特定の移動デバイスを担当している間、その移動デバイスの無線リソースを提供するようにＷＴ７に要求することを可能にする。多くの基本手順も、ＬＷＡ及びＬＴＥ／ＷＬＡＮ網間接続（ＬＷＩ）の基準として定義されている。
【０００７】
Ｘｗインターフェースが終端する論理ノードは、ＷＬＡＮ終端器（ＷＴ）と呼ばれる。この論理ノードは、ＷＬＡＮネットワークの任意の部分を形成することができ、例えば、ＷＬＡＮアクセスポイント（ＡＰ）内及び／又は１つ以上のＷＬＡＮ  ＡＰをサービングするＷＬＡＮアクセスコントローラー（ＡＣ）内に組み込むことができる。
【０００８】
ＬＷＡアグリゲーションの利点は、ｅＮＢ及びＷＴが同じ場所に設けられるコロケート（co-located：同一場所）展開と、ｅＮＢ及びＷＴが互いに分離されている非コロケート（non-co-located：非同一場所）展開との双方において実現することができる。
【発明の概要】
【発明が解決しようとする課題】
【０００９】
しかしながら、ＬＷＡの現在の提案は、シグナリングが非効率である比較的柔軟性のないシステムをもたらす。例えば、（ほとんどではないにしても）多くのＷＬＡＮ展開は、アクセスが、特定のクローズド加入者グループ（ＣＳＧ）のメンバーである移動電話又は他の移動（又は固定）通信デバイス等のユーザー機器（ＵＥ）の項目に制限されるクローズドアクセスモードで動作する。他のＷＬＡＮ展開は、アクセスを全てのＵＥに許可することができるが、特定のＣＳＧのメンバーには優先的なアクセスが与えられるハイブリッドアクセスモードで動作する。しかしながら、現在の提案の下では、クローズドアクセスモードで動作するＷＬＡＮのＷＴを追加することによってＵＥのＬＷＡをセットアップする試みが行われても、ｅＮＢは、実際上、そのＷＬＡＮがオープンアクセスモードで動作するものと仮定する。したがって、このＵＥはそのＷＬＡＮに関連付けられたＣＳＧのメンバーではないので、この試みが失敗する可能性は比較的高い。この結果、ＵＥによるシグナリング、測定は無駄になり、したがって、ＵＥの電池が不必要に消耗し、セットアップ時間が非効率的になる。
【００１０】
マスターｅＮＢ（ＭｅＮＢ）が２次ｅＮＢ（ＳｅＮＢ）のＣＳＧメンバーシップ情報をコアネットワーク（進化型パケットコア「ＥＰＣ」）から取得し、続いて、ＳｅＮＢのＣＳＧメンバーシップ検証を実行する、既存のＬＴＥデュアルコネクティビティ（ＤＣ）に基づくメカニズムは、ＬＷＡにおいて用いることができない。なぜならば、ＥＰＣとＷＴとの間にリンクがないからである。その上、標準化プロセスの現在のステータスによれば、ＬＷＡ及びＬＷＩのメカニズムは、ＷＬＡＮ固有のコアネットワークノードも、コアネットワークインターフェースも、任意の追加のコアネットワークシグナリングも必要とすべきでない（すなわち、ＬＷＡ／ＬＷＩはＥＰＣにトランスペアレントであるべきである）。
【００１１】
現在の提案の下では、ｅＮＢは、当該ｅＮＢが特定のＷＴとＸｗを確立したいか否かに対する全制御を有する。しかしながら、これは、特定のＷＴが、例えば、何らかのメンテナンス作業のために利用不能である（又は利用不能になる）とき、問題を引き起こす可能性がある。
【課題を解決するための手段】
【００１２】
本発明は、上記の問題に対処する、又はこれを少なくとも部分的に改善する通信システム及び関連付けられた装置及び方法を提供しようとするものである。
【００１３】
本発明の一態様として、セルラー通信システムの通信装置であって、コントローラー及び送受信機を備え、前記コントローラーは、前記送受信機を制御して、前記セルラー通信システムの該通信装置と無線ローカルエリアネットワーク（ＷＬＡＮ）の通信装置との間のインターフェースをセットアップするインターフェースセットアップ手順に従って、前記ＷＬＡＮの前記通信装置と通信するように動作可能であり、前記インターフェースセットアップ手順の一部として、前記コントローラーは、前記送受信機を制御して、インターフェースセットアップ要求メッセージを前記ＷＬＡＮの前記通信装置に送信することと、前記インターフェースセットアップ要求メッセージに応答して、インターフェースセットアップ応答メッセージを受信することであって、該インターフェースセットアップ応答メッセージは、前記ＷＬＡＮの少なくとも１つのアクセスポイント（ＡＰ）のアクセスモードを特定する情報を含むことと、を行うように動作可能であり、前記コントローラーは、前記インターフェースセットアップ手順に基づいて前記セルラー通信システムの該通信装置において前記インターフェースをセットアップするように動作可能である、通信装置が提供される。
【００１４】
本発明の一態様として、無線ローカルエリアネットワーク（ＷＬＡＮ）の通信装置であって、コントローラー及び送受信機を備え、前記コントローラーは、前記送受信機を制御して、セルラー通信システムの通信装置と前記ＷＬＡＮの該通信装置との間のインターフェースをセットアップするインターフェースセットアップ手順に従って、前記セルラー通信システムの前記通信装置と通信するように動作可能であり、前記インターフェースセットアップ手順の一部として、前記コントローラーは、前記送受信機を制御して、前記セルラー通信システムの前記通信装置からインターフェースセットアップ要求メッセージを受信することと、前記インターフェースセットアップ要求メッセージに応答して、前記セルラー通信システムの前記通信装置にインターフェースセットアップ応答メッセージを送信することであって、該インターフェースセットアップ応答メッセージは、前記ＷＬＡＮの少なくとも１つのアクセスポイント（ＡＰ）のアクセスモードを特定する情報を含むことと、を行うように動作可能であり、前記コントローラーは、前記インターフェースセットアップ手順に基づいて前記ＷＬＡＮの該通信装置において前記インターフェースをセットアップするように動作可能である、通信装置が提供される。
【００１５】
本発明の一態様として、上述のセルラー通信システムの少なくとも１つの通信装置と、上述の無線ローカルエリアネットワーク（ＷＬＡＮ）通信システムの少なくとも１つの通信装置と、通信デバイスとを備える、通信システムが提供される。
【００１６】
本発明の一態様として、セルラー通信システムの通信装置によって実行される方法であって、前記セルラー通信システムの前記通信装置と無線ローカルエリアネットワーク（ＷＬＡＮ）の通信装置との間のインターフェースをセットアップするインターフェースセットアップ手順に従って、前記ＷＬＡＮの前記通信装置と通信することを含み、前記インターフェースセットアップ手順は、前記ＷＬＡＮの前記通信装置にインターフェースセットアップ要求メッセージを送信することと、前記インターフェースセットアップ要求メッセージに応答して、インターフェースセットアップ応答メッセージを受信することであって、該インターフェースセットアップ応答メッセージは、前記ＷＬＡＮの少なくとも１つのアクセスポイント（ＡＰ）のアクセスモードを特定する情報を含むことと、前記セルラー通信システムの前記通信装置において前記インターフェースをセットアップすることと、を含む、方法が提供される。
【００１７】
本発明の一態様として、無線ローカルエリアネットワーク（ＷＬＡＮ）の通信装置によって実行される方法であって、セルラー通信システムの通信装置と前記ＷＬＡＮの前記通信装置との間のインターフェースをセットアップするインターフェースセットアップ手順に従って、前記セルラー通信システムの前記通信装置と通信することを含み、前記インターフェースセットアップ手順は、前記セルラー通信システムの前記通信装置からインターフェースセットアップ要求メッセージを受信することと、前記インターフェースセットアップ要求メッセージに応答して、前記セルラー通信システムの前記通信装置にインターフェースセットアップ応答メッセージを送信することであって、該インターフェースセットアップ応答メッセージは、前記ＷＬＡＮの少なくとも１つのアクセスポイント（ＡＰ）のアクセスモードを特定する情報を含むことと、前記ＷＬＡＮの前記通信装置において前記インターフェースをセットアップすることと、を含む、方法が提供される。
【００１８】
本発明の態様は、上記で示した態様及び可能な形態又は特許請求の範囲において記載される態様及び可能な形態において記述されるような方法を実行するようにプログラマブルプロセッサをプログラムするように、及び／又は特許請求の範囲のいずれかの請求項において記載される装置を提供するように適切に構成されたコンピューターをプログラムするように動作可能である、その上に記憶された命令を有するコンピューター可読記憶媒体のようなコンピュータープログラム製品にまで及ぶ。
【００１９】
本明細書（特許請求の範囲を含む）において開示され、及び／又は図面において示される各特徴は、開示され、及び／又は図示される任意の他の特徴から独立して（又はそれらと組み合わせて）本発明に組み込まれる場合がある。詳細には、限定はしないが、特定の独立請求項に従属する請求項のうちのいずれかの特徴は、任意の組み合わせにおいて又は個々に、その独立請求項に取り込まれる場合がある。
【図面の簡単な説明】
【００２０】
【図１】通信ネットワークを簡略化した形態で概略的に示す図である。
【図２】図１の通信ネットワークの移動デバイスの主な構成要素を簡略化した形態で示すブロック図である。
【図３】図１の通信ネットワークの基地局の主な構成要素を簡略化した形態で示すブロック図である。
【図４】図１の通信ネットワークのＷＬＡＮ終端器ノードの主な構成要素を簡略化した形態で示すブロック図である。
【図５】図１の通信ネットワークにおいて実行することができるＸｗセットアップ手順を簡略化した形態で示す図である。
【図６】図１の通信ネットワークにおいて実行することができるＷＴ追加手順の第１の変形形態を簡略化した形態で示す図である。
【図７】図１の通信ネットワークにおいて実行することができるＷＴ追加手順の第２の変形形態を簡略化した形態で示す図である。
【図８】図１の通信ネットワークにおいて実行することができるＷＴ追加手順の第３の変形形態を簡略化した形態で示す図である。
【図９】図１の通信ネットワークにおいて実行することができるＷＴ追加手順の第４の変形形態を簡略化した形態で示す図である。
【図１０】図１の通信ネットワークにおいて実行することができる、ＷＴ開始Ｘｗ除去手順を簡略化した形態で示す図である。
【発明を実施するための形態】
【００２１】
＜概説＞
図１は、移動デバイス３（又は他のそのようなユーザー機器）が、関連付けられたセルを運用するＥ−ＵＴＲＡＮ基地局（ｅＮＢ）５を介して、及び／又は無線ローカルエリアネットワーク（ＷＬＡＮ）終端器（ＷＴ）７を介して、他のそのようなデバイス及び／又は他の通信エンティティと通信することができる移動（セルラー）通信ネットワーク１００を示している。これらのＷＴのそれぞれは、この例では、単一のアクセスポイント（ＡＰ）を備えるが、複数のＡＰを備える場合もある。基地局５を介した通信は、通常、Ｅ−ＵＴＲＡ無線アクセス技術（ＲＡＴ）を用いてアクセスされるコアネットワーク１１を通じてルーティングされる。ＷＴ７の各ＡＰを介した通信は、通常、関連付けられたアクセスコントローラー（ＡＣ）及びインターネットを介する。
【００２２】
当業者であれば理解するように、３つの移動デバイス３、１つの基地局５、及び２つのＷＴ７が例示の目的で図１に示されているが、システムは、実施時に、通常他の基地局、ＷＴ、及び移動デバイスを含む。
【００２３】
ｅＮＢ５は、この例では、スモールセルを運用するホーム基地局（ＨＮＢ又はＨ（ｅ）ＮＢ）等の低電力ノード（ＬＰＮ）であるが、任意の形態の同様の基地局であってもよい。ｅＮＢ５は、関連付けられたインターフェース（Ｓ１インターフェース）及びセル内の移動デバイス３を介してコアネットワーク１１（例えば、コアネットワーク１１の移動管理エンティティ（ＭＭＥ））と協調して、移動デバイス３とコアネットワーク１１との間の通信用の無線ベアラ（例えば、Ｅ−ＵＴＲＡＮ無線アクセスベアラ「Ｅ−ＲＡＢ」）をセットアップするように構成される。
【００２４】
ｅＮＢ５は、ＬＴＥ／ＷＬＡＮアグリゲーション（ＬＷＡ）動作をサポートする。このＬＷＡ動作によって、無線リソース制御（ＲＲＣ）接続（RRC_CONNECTED）状態にある移動デバイス３は、ｅＮＢ５によって、ＬＴＥ及びＷＬＡＮの双方の無線リソースを利用するように構成することができる。具体的には、ｅＮＢ５は、ＷＴ７及びセル内の移動デバイス３と協調してＬＷＡ、特に、その無線プロトコルがｅＮＢ５及びＷＴ７の双方にある無線ベアラのセットアップ、を実行し、ｅＮＢリソース及びＷＬＡＮリソースの双方（例えば、いわゆる「ＬＷＡベアラ」）を通信に用いるように構成される。
【００２５】
ｅＮＢ５は、ＬＷＡのサポートの一環として、ＷＴ７と通信して、ＬＷＡをセットアップ及び管理する複数の手順を実行することができる。これらの手順は、とりわけ、ＷＴ７とｅＮＢ５との間のＸｗインターフェースをセットアップして、ｅＮＢ５が専用のＸｗアプリケーションプロトコル（ＸＷＡＰ）を用いてＷＴ７と通信することを可能にするＸｗセットアップ手順を含む。Ｘｗセットアップ手順の目的は、ｅＮＢ５及びＷＴ７がＸｗインターフェースを介して正常に相互動作するのに必要とされるアプリケーションレベルデータを交換することである。Ｘｗセットアップ手順は、ｅＮＢ５によってトリガーされる。Ｘｗセットアップ手順は、実行される最初のＸＷＡＰ手順である。
【００２６】
手順には、特定の移動デバイス３のＬＷＡ動作のためのリソースを配分するようにＷＴに要求するＷＴ追加準備手順も含まれる。このＷＴ追加準備手順は、特定の移動デバイス３にＷＬＡＮリソースを提供するために、その移動デバイス３のＷＴ７におけるコンテキストを確立するようにｅＮＢ５によって開始されるより広いＷＴ追加手順の一部をなす。
【００２７】
この例では、ｅＮＢ５は、非コロケート（non-collocated：非同一場所）展開シナリオにおいてＬＷＡをサポートし、したがって、非コロケート展開シナリオにおいて非理想的なバックホールを介してＷＬＡＮに接続される。ｅＮＢ５は、コロケート（collocated：同一場所）展開シナリオでは、理想的／内部バックホールを介して接続されることが理解されるであろう。
【００２８】
アクセスモードの決定
有利には、ｅＮＢ５が、Ｘｗインターフェースをセットアップする要求をＷＴ５に最初に送信し、この要求の処理がＷＴ７において成功することができると、ＷＴ７は、当該ＷＴ７に関連付けられたＡＰのそれぞれのアクセスモード（例えば、クローズド、オープン又はハイブリッド）についての追加の情報を用いて応答する。ＷＴ７は、エンタープライズ展開であるのか、ホーム展開であるのか等、並びにそうである場合、クローズド加入者識別情報、及びその展開が取り扱うサービスのタイプ（例えば、ＵＥ使用タイプ）を含むその展開に関連付けられた識別情報等の他の情報も提供することができることが理解されるであろう。これによって、ｅＮＢ５は、移動デバイス通信を特定のＡＰにオフロードするか否かを決定するときのその意思決定を改善することが可能になる。ｅＮＢ５は、例えば、クローズドアクセスＡＰに優先してオープンアクセスＡＰ又はハイブリッドアクセスＡＰを選択することができる。
【００２９】
特定のＡＰへの移動デバイスのアクセスの決定
ＡＰのアクセスモードを単に知っているだけでも、それ自体で有利であるが、更なる強化において、ｅＮＢ５は、有利には、特定のＡＰがクローズドアクセスモードにおいて動作するときであっても、特定の移動デバイス３がそのＡＰ（ＡＰのグループ、又はサービスセット識別子「ＳＳＩＤ」若しくは同種拡張サービスセットＩＤ「ＨＥＳＳＩＤ」によって表されるＷＬＡＮサービスセット）へのアクセスに成功することができることを示す情報も取得することができる。
【００３０】
図１の通信ネットワークの１つの例では、これは、移動デバイス３が、アクセスに成功することができる（又は現在関連付けられているか若しくは過去において関連付けに成功した）１つ以上のＡＰを特定する情報をｅＮＢ５に提供することによって達成される。この例では、ＡＰ（複数の場合もある）を特定するこの情報は、ＷＴ追加手順の一部として移動デバイス３によって生成された測定報告に挿入することができる少なくとも１つの新たな情報要素（ＩＥ）を含む。ただし、これに関する一変形形態では、ＡＰ（複数の場合もある）を特定する情報は、ＷＴ追加の前に移動デバイス３によってｅＮＢ５に送信されるＵＥ能力情報に挿入することができる少なくとも１つの新たな情報要素（ＩＥ）を含むことができることが理解されるであろう。移動デバイス３によるこの情報の提供は、ＷＴ追加手順、又はＷＴ追加を実行する時に用いられる情報を提供することができる異なる手順の一部とすることができることが理解されるであろう。
【００３１】
ＵＥが提供するメンバーシップステータス情報に基づいて、ｅＮＢは、ＵＥが提供するメンバーシップステータスをＷＴ追加メッセージにおいて新たなＩＥとして示すとともに、特定されたＷＴを追加することを検討することができる。ＷＴは、その後、メンバーシップ検証を行い、そのメンバーシップチェックの結果に応じて肯定的又は否定的のいずれかで確認応答することができる。
【００３２】
特定されたＡＰ（複数の場合もある）は、移動デバイス３が以前に関連付けに成功しているＡＰを含むことができ、及び／又は、移動デバイス３が、そのＣＳＧメンバーシップに基づいてアクセスを許可されていることを知っている、及び／又は関連付けに成功していることを知っているＡＰを含むことができる。ｅＮＢ５は、次に、取得された情報を用いて、ＷＴ追加準備手順において用いられる特定されたＡＰ（又は基本サービスセット識別子「ＢＳＳＩＤ」、ＳＳＩＤ、ＨＥＳＳＩＤ等のそのＡＰに関連付けられた識別子）を選択することができる。
【００３３】
アクセスポイントを特定するこの情報は、任意の適した形態とすることができるが、通常、基本サービスセット識別子（ＢＳＳＩＤ）、サービスセット識別子（ＳＳＩＤ）、及び／又は同種拡張サービスセットＩＤ（ＨＥＳＳＩＤ）を含む。ＢＳＳＩＤは、２４ビット組織固有識別子（製造業者の識別情報）と、ＡＰ内の無線チップセットに対して製造業者が割り当てた２４ビット識別子とを組み合わせることによって生成される無線アクセスポイントの媒体アクセス制御（ＭＡＣ）アドレスである。ＢＳＳＩＤは、基本サービスセット「ＢＳＳ」の正式名称であり、常に単一のＢＳＳに関連付けられている。ＳＳＩＤは、ＢＳＳの非正式名称である。ＨＥＳＳＩＤは、特定のネットワークに属する全てのＡＰについて同じであるＭＡＣアドレスである。
【００３４】
図１の通信ネットワークの別の例では、ｅＮＢ５は、特定の移動デバイス３がＷＴ７から特定のＡＰに直接アクセスすることに成功することができることを示す情報を取得する。例えば、その移動デバイス３とＡＰとの間の自律的な関連付けに成功した後、ＷＴ７は、特定の移動デバイス３がＷＴ７に接続されている（又は関連付けられている）か否かをｅＮＢ５に通知することができ、接続されている場合、問題の移動デバイス３が接続されている（又は関連付けられている）ＡＰのＢＳＳＩＤをｅＮＢ５に通知することができる。有利には、ＷＴ７は、移動デバイス３ごとに異なるそれぞれのメッセージでｅＮＢ５に通知することができるが、ＷＴ７は、集合的なメッセージを用いて、複数の移動デバイス３のステータスをｅＮＢ５に通知することもできる。
【００３５】
図１の通信ネットワークのこの例に関する一変形形態では、ＷＴ７は、有利には、特定の移動デバイス３がアクセスすることができる１つ以上のＡＰを、その移動デバイス３を（例えば、国際移動加入者識別情報「ＩＭＳＩ」、又はＵＥ  ＭＡＣアドレス等のＵＥ  ＩＤによって）特定するｅＮＢ５からのクエリメッセージに応答してｅＮＢ５に通知する。問題の移動デバイス３が、そのＷＴ７のＡＰへの関連付けに以前に（又は現在）成功している場合、ＷＴ７は、移動デバイス３が以前に（又は現在）関連付けられているＡＰのＢＳＳＩＤ／ＳＳＩＤ／ＨＥＳＳＩＤを用いてそのようなクエリメッセージに応答することができる。移動デバイス３が、ＷＴ７のいずれのＡＰとも接続していない場合、ＷＴは、移動デバイス３がその領域において許可されているか否かを（例えば、特定のＣＳＧのそのメンバーシップによって）特定する情報と、許可されている場合には、問題の移動デバイス３がアクセスを許可されている少なくとも１つのＡＰの識別情報（例えば、ＢＳＳＩＤ、ＳＳＩＤ又はＨＥＳＳＩＤ）とを用いて応答することができる。したがって、ＷＴ７からのこの情報に基づいて、ｅＮＢ５は、問題の移動デバイス３のためのＷＴ追加をそのＷＴ７とともに実行するか否かに関する決定を改善することができる。ＷＴ追加が所与の移動デバイス３について可能であるとみなされた場合、ｅＮＢ５は、特定のＷＬＡＮベアラ構成を要求することができ、ＷＴ７は、この要求に対して肯定的又は否定的のいずれかで応答することができる。
【００３６】
ｅＮＢ５が、特定の移動デバイス３がＷＴ７から特定のＡＰへのアクセスに成功することができることを示す情報を取得する別の変形形態では、ｅＮＢ５は、ＷＴ７とＵＥメンバーシップチェック手順を実行して、そのＷＴ７のＡＰの特定の移動デバイス３のメンバーシップステータスを確立する。有利には、このＵＥメンバーシップチェックは、ｅＮＢ５が移動デバイス３と通信して移動デバイス３を関連したＷＬＡＮ測定を行うように構成する前に実行される。ＵＥメンバーシップチェックは、ｅＮＢ５が、ＵＥメンバーシップチェックメッセージを（例えば、ＵＥ  ＩＤによって特定されるような）特定の移動デバイス３のＷＴ７に送信することと、ＷＴ７が、このＵＥメンバーシップチェックメッセージの受信に応答してメンバーシップ検証を実行し、問題の移動デバイス３がアクセスを許可される少なくとも１つのＡＰを特定する情報（例えば、ＢＳＳＩＤ、ＳＳＩＤ又はＨＥＳＳＩＤ）を搬送するＵＥメンバーシップ応答メッセージを生成して、ｅＮＢ５に送信することとを伴う。したがって、ｅＮＢ５は、問題の移動デバイス３がアクセスを許可されるＡＰ（複数の場合もある）の知識に基づいてＷＬＡＮ測定を行うように問題の移動デバイス３を構成することができる。通常ならば、移動デバイス３は、非常に多くのＷＬＡＮ  ＡＰを測定しなければならないが、この適時の最終候補列挙によって、電力を大幅に節約することができ、不十分な無線スペクトルのより効率的な使用をもたらすことができる。
【００３７】
図１の通信ネットワークの別の有利な例では、ｅＮＢ５は、特定の移動デバイス３が、ＷＴ追加手順を実行する以前の失敗した（及び／又は成功した）試みに基づいて特定のＡＰへのアクセスに成功することができることを示す情報を取得する。この変形形態では、移動デバイスが特定のＷＴ  ＡＰとの関連付けを試みたときにＷＴ追加手順が失敗すると、影響を受けるＷＴ７は、有利には、失敗だけでなく、失敗の原因（例えば、無線の理由によるもの、アクセス制御の失敗等）もｅＮＢ５に通知することができる。したがって、失敗の原因を特定するこの情報に基づいて、特定の移動デバイス３の通信にＡＰを用いようとする試みがアクセス制御の失敗によって以前に不成功であるとき、ｅＮＢ５は、そのような試みを回避することができる。ＡＰが失敗の通知を失敗の原因とともに提供するのではなく（又は提供するとともに）、移動デバイス３がこの情報を提供することができることが理解されるであろう。この情報は、ｅＮＢ５が、移動デバイス３がアクセスを許可されるＢＳＳＩＤ、ＳＳＩＤ又はＨＥＳＳＩＤのみを確保する適切なＵＥ固有の移動セット（mobility-set）を構成することを支援することができる。
【００３８】
ＷＴ  ＬＷＡ制御
図１の通信ネットワークのＷＴ７は、有利には、ＬＷＡの態様を制御する強化された能力も提供される。具体的には、ＷＴ７は、（例えば、ＷＴがそれ自身のトラフィックの結果、過負荷状態にある場合、又は、そのＡＰがメンテナンスの理由によって利用可能でない場合）Ｘｗインターフェースの除去をトリガーする新たな手順を提供される。これは、ｅＮＢ５が、それ自身のＬＴＥトラフィックを、メンテナンスの理由によって利用不能なＷＬＡＮ又は通信が過負荷状態にあるＷＬＡＮにオフロードすることを試みる可能性が低くなることを意味するので、特に有利である。
【００３９】
＜移動デバイス＞
図２は、図１に示すような移動デバイス３の主な構成要素を示すブロック図である。図示するように、移動デバイス３は、ｅＮＢ５（又はＷＴ  ＡＴ）に対して１つ以上のアンテナ３３を介して信号を送受信するように動作可能な送受信機回路３１を有する。移動デバイス３は、移動デバイス３の動作を制御するコントローラー３７を有する。コントローラー３７は、メモリ３９と関連付けられ、送受信機回路３１に結合される。図２には必ずしも示されているわけではないが、移動デバイス３は、もちろん、従来の移動デバイス３の全ての通常の機能（ユーザーインターフェース３５等）を有し、これは、適宜、ハードウェア、ソフトウェア及びファームウェアのうちの任意の１つ又は任意の組み合わせによって提供することができる。ソフトウェアは、メモリ３９に事前にインストールすることができ、及び／又は、例えば、電気通信ネットワークを介して若しくはリムーバブルデータ記憶デバイス（ＲＭＤ）からダウンロードすることができる。
【００４０】
コントローラー３７は、この例では、メモリ３９内に記憶されたプログラム命令又はソフトウェア命令によって移動デバイス３の全体の動作を制御する。示すように、これらのソフトウェア命令は、とりわけ、オペレーティングシステム４１、通信制御モジュール４３、ＷＬＡＮモジュール４４、ＬＴＥモジュール４５、ＬＷＡモジュール４７及び測定モジュール４９を含む。
【００４１】
通信制御モジュール４３は、移動デバイス３と基地局５との間及び移動デバイス３とＷＴ７のＡＰとの間の全体の通信を制御する。主要な通信制御モジュール４３を補助して、ＷＬＡＮモジュール４４は、ＷＴのＡＰに対するＷＬＡＮユーザー通信を管理し、ＬＴＥモジュール４５は、ｅＮＢ５に対するＬＴＥユーザー通信を管理する。
【００４２】
ＬＷＡモジュール４５は、ＷＴ追加手順等のＬＷＡ関連手順に従ってｅＮＢ５に対して送受信されるＬＷＡ関連制御メッセージのハンドリングを担当する。
【００４３】
測定モジュール４９は、最も近い（例えば、近傍の）ｅＮＢ及び／又はＷＴ  ＡＰの信号の測定を管理するようにｅＮＢ５によって構成されると、これを行うとともに、関連した測定報告の生成及び送信を管理する。
【００４４】
＜基地局＞
図３は、図１に示すようなｅＮＢ５の主な構成要素を示すブロック図である。図示するように、ｅＮＢ５は、移動デバイス３に対して１つ以上のアンテナ５３を介して信号を伝送するとともに、例えば、他のセル運用装置（例えば、Ｘ２インターフェースを介して基地局）、コアネットワークエンティティ（例えば、Ｓ１インターフェースを介して移動管理エンティティ）及びＷＴ７（例えば、Ｘｗインターフェースを介して）等の他のネットワークエンティティに対してネットワークインターフェース５４のうちの少なくとも１つ（ただし、通常は複数）を介して信号を伝送する送受信機回路５１を有する。ｅＮＢ５は、ｅＮＢ５の動作を制御するコントローラー５７を有する。コントローラー５７は、メモリ５９に関連付けられている。図３に必ずしも示されているわけではないが、ｅＮＢ５は、もちろん、セルラー電話ネットワークのｅＮＢ５の全ての通常の機能を有し、これは、適宜、ハードウェア、ソフトウェア及びファームウェアのうちの任意の１つ又は任意の組み合わせによって提供することができる。ソフトウェアは、メモリ５９に事前にインストールすることができ、及び／又は、例えば、通信ネットワークを介して若しくはリムーバブルデータ記憶デバイス（ＲＭＤ）からダウンロードすることができる。
【００４５】
コントローラー５７は、この例では、メモリ５９内に記憶されたプログラム命令又はソフトウェア命令によってｅＮＢ５の全体の動作を制御するように構成される。図示するように、これらのソフトウェア命令は、とりわけ、オペレーティングシステム６１、通信制御モジュール６３、ＬＷＡ管理モジュール６４及びＬＴＥ管理モジュール６５を含む。
【００４６】
通信制御モジュール６３は、ｅＮＢ５と移動デバイス３との間及びｅＮＢ５とＷＴ７との間の全体の通信を制御する。主要な通信制御モジュール６３を補助して、ＬＴＥ管理モジュール６５は、移動デバイス３及びコアネットワークに対するＬＴＥ関連通信を管理する。
【００４７】
ＬＷＡ管理モジュール６４は、ＷＴ追加手順及びセットアップ手順等のＬＷＡ関連手順に従って移動デバイス３及びＷＴ７に対して送受信されるＬＷＡ関連制御メッセージのハンドリングを担当する。
【００４８】
＜ＷＴ＞
図４は、図１に示すようなＷＴノード７の主な構成要素を示すブロック図である。
【００４９】
図示するように、ＷＴ７は、例えば、ｅＮＢ５（例えば、Ｘｗインターフェースを介した）等の他のネットワークエンティティに対して少なくとも１つ（ただし、通常は複数）のネットワークインターフェース７４を介して信号を伝送する送受信機回路７１を有する。ＷＴ７は、このＷＴ７の動作を制御するコントローラー７７を有する。コントローラー７７は、メモリ７９に関連付けられる。図４には必ずしも示されているわけではないが、ＷＴ７は、もちろん、ＷＴ７の全ての通常の機能を有し、これは、適宜、ハードウェア、ソフトウェア及びファームウェアのうちの任意の１つ又は任意の組み合わせによって提供することができる。ソフトウェアは、メモリ７９に事前にインストールすることができ、及び／又は、例えば、通信ネットワークを介して若しくはリムーバブルデータ記憶デバイス（ＲＭＤ）からダウンロードすることができる。ＷＴ７及びそのＡＰ（複数の場合もある）が、単一の同じ場所に配置された装置の一部を形成する場合、ＷＴ７は、Ｗｉ−Ｆｉ通信プロトコルを用いて移動デバイス３に対して信号を伝送することができる１つ以上のアンテナ７３も備えることができる。
【００５０】
コントローラー７７は、この例では、メモリ７９内に記憶されたプログラム命令又はソフトウェア命令によってＷＴ７の全体の動作を制御するように構成される。図示するように、これらのソフトウェア命令は、とりわけ、オペレーティングシステム８１、通信制御モジュール８３、ＬＷＡモジュール８４及びＷＬＡＮ管理モジュール８５を含む。
【００５１】
通信制御モジュール８３は、ＷＴ７とｅＮＢ５との間、及びＷＴ７と、移動デバイス３（ＷＴが少なくとも１つの統合されたＡＰを備える場合）、ＡＰ（複数の場合もある）及び／又はアクセス制御ノード（それらのアクセス制御ノードがＷＴ７の一部を形成していない場合）等の他の通信デバイスとの間の全体の通信を制御する。主要な通信制御モジュール８３を補助して、ＷＬＡＮ管理モジュール８５は、そのような他の通信デバイスに対するＷＬＡＮ関連通信を管理する。
【００５２】
ＬＷＡモジュール８４は、ＷＴ追加手順及びセットアップ手順等のＬＷＡ関連手順に従ってｅＮＢ５に対して送受信されるＬＷＡ関連制御メッセージのハンドリングを担当する。
【００５３】
＜Ｘｗセットアップ手順＞
図５は、図１の通信ネットワークにおいて、ｅＮＢ５とＷＴ７との間で実行することができるＸｗセットアップ手順を簡略化した形態で示している。
【００５４】
Ｘｗセットアップ手順の目的は、ｅＮＢ及びＷＴがＸｗインターフェースを介して正常に相互動作するのに必要とされるアプリケーションレベルデータを交換することである。Ｘｗセットアップ手順は、ｅＮＢによってトリガーされる。Ｘｗセットアップ手順は、実行される最初のＸＷＡＰ手順である。
【００５５】
図５に見られるように、Ｘｗセットアップ手順は、セットアップ要求メッセージ（例えば、Ｘｗ−ＡＰ：Ｘｗセットアップ要求（Xw SETUP REQUEST）がｅＮＢ５からＷＴ７に送信されることで開始する。この要求への対応に成功することができると、ＷＴ７は、この例では、そのＷＴの各ＡＰのＷＬＡＮアクセスモード情報（例えば、クローズド、ハイブリッド又はオープン）を含む適切な応答メッセージ（例えば、Ｘｗ−ＡＰ：Ｘｗセットアップ応答（Xw SETUP RESPONSE）を用いて応答する。このアクセスモード情報は、ＡＰのそれぞれのアクセスモードと関連した各ＡＰのＢＳＳＩＤを含むＷＬＡＮアクセスモードリストとして提供される。一例示的な応答メッセージ（又はそのようなメッセージの少なくとも一部）の内容は、以下の表１に簡略化した形態で示されている。
【００５６】
【表１】
0006658901.tif 000002
【００５７】
図５に見られるように、この要求への対応に成功することができない場合、ＷＴ７は、適切な失敗メッセージ（例えば、Ｘｗ−ＡＰ：Ｘｗセットアップ失敗（Xw SETUP FAILURE））を用いて応答する。
【００５８】
ＷＴ７は、Ｘｗセットアップ応答（Xw SETUP RESPONSE）において、ＷＬＡＮ展開がエンタープライズ展開であるのか、ホーム展開であるのか、及びＷＴ７がサポートする任意の特殊なサービスタイプ（ＵＥ使用タイプに類似）を特定する情報等の更なる情報も提供することができることが理解されるであろう。
【００５９】
＜ＷＴ追加手順−変形形態１＞
図６は、図１の通信ネットワークにおいて、移動デバイス３、ｅＮＢ５及びＷＴ７の間で実行することができるＷＴ追加手順の第１の変形形態を簡略化した形態で示している。
【００６０】
図６の手順において、ｅＮＢ５及びＷＴ７は、以下のステップを実行する。
【００６１】
１．ｅＮＢ５は、ＬＷＡの移動デバイス無線アクセス能力の転送を移動デバイス３に要求する。この例では、メッセージは、「ＵＥ能力照会（UECapabilityEnquiry）」メッセージを含む。
【００６２】
２．移動デバイス３は、サポートされるＷＬＡＮ帯域を含むＬＷＡ能力を報告する。この例では、この報告は、「ＵＥ能力情報（UECapabilityInformation）」メッセージを用いて送信される。
【００６３】
ステップ１及び２は、ｅＮＢ５及び移動デバイス３がこれらのステップを以前に実行していた場合に、あらゆるＷＴ追加について繰り返されない場合があることが理解されるであろう。
【００６４】
３．ｅＮＢ５は、適切な構成メッセージ（例えば、ＲＲＣ接続再構成（RRCConnectionReconfiguration）メッセージ）を送信することによってＵＥ  ＷＬＡＮ測定を構成する。
【００６５】
４．移動デバイス３は、測定構成を適用し、要求された測定構成が完了したことの適切な確認応答（例えば、ＲＲＣ接続再構成完了（RRCConnectionReconfigurationComplete）メッセージ）を用いて返答する。
【００６６】
５．移動デバイス３は、ステップ３において受信された測定構成（及びステップ４におけるセットアップ）に基づいてＷＬＡＮ情報を入手する。
【００６７】
６．移動デバイス３は、対応する測定報告を生成して、ｅＮＢ５に送信する。
【００６８】
移動デバイス３によって生成される測定報告は、移動デバイス３が以前に（又は現在）関連付けに成功しているＡＰ（複数の場合もある）を特定する情報を含む。この測定報告は、移動デバイス３がそのＣＳＧメンバーシップに基づいてアクセスを許可されていることを知っているＡＰ（複数の場合もある）を特定する情報を代わりに（又は追加で）含むことができることが理解されるであろう。アクセスポイントを特定するこの情報は、任意の適した形態とすることができるが、通常は、基本サービスセット識別子（ＢＳＳＩＤ）、サービスセット識別子（ＳＳＩＤ）、及び／又は同種拡張サービスセットＩＤ（ＨＥＳＳＩＤ）を含む。
【００６９】
測定は、少なくとも１つの新たな情報要素（ＩＥ）を収容するためのこの情報要素を含む。
【００７０】
一方、概説において事前に示したように、測定報告をこのように用いることに関する一変形形態では、ＡＰ（複数の場合もある）を特定する情報は、上記ステップ２において移動デバイス３によってｅＮＢ５に送信されるＵＥ能力情報に挿入することができる少なくとも１つの新たな情報要素（ＩＥ）を含むことができることが理解されるであろう。
【００７１】
７．ｅＮＢ５は、測定報告において取得された情報を用いて、その後に続くＷＴ追加準備手順において用いられる（問題の移動デバイス３が、当該移動デバイス３によって提供された情報に基づいてアクセスを許可される）特定されたＡＰを選択する。
【００７２】
８．ｅＮＢ５は、特定の移動デバイスのＬＴＥ−ＷＬＡＮアグリゲーションのリソースの準備を要求する要求メッセージ（例えば、ＷＴ追加要求）をＷＴ７に送信することを決定する。これは、選択されたＡＰ用に特定のＥ−ＲＡＢのＷＬＡＮリソースを配分するように適切なＷＴ７に要求する。
【００７３】
これは、ＷＴ７がＷＬＡＮに固有であり得るＵＥメンバーシップ検証プロセスを実行するために、任意選択で、ｅＮＢ５が、移動デバイスが報告したメンバーシップステータスをＷＴ７に示すことを可能にすることができる。この任意選択のステップは、移動デバイス３が、所与のＷＴ７に接続された適切なＡＰとの関連付けに既に成功していることを、その測定報告を用いて示しているときは必要ではない。
【００７４】
通常、ＷＴ追加要求メッセージは、特定の移動デバイスのＬＷＡベアラ（複数の場合もある）を特定する情報を含む。
【００７５】
９．ＷＴ７は、全ての又は部分的なＷＬＡＮリソース要求を認めることができる場合、メンバーシップ検証がステップ８において要求された場合にはその検証の成功を条件として、確認応答メッセージ（例えば、ＷＴ要求追加確認応答）を用いて応答する。
【００７６】
通常、ＷＴ７において１つ以上のＧＰＲＳトンネリングプロトコル（ＧＴＰ）のトンネル（複数の場合もある）の確立に成功しているとき、ＷＴは、ＷＴ追加要求確認応答メッセージを用いて応答する。このメッセージは、ＬＷＡ用に確立に成功したベアラ及び確立に失敗したベアラを含む。
【００７７】
通常、ＷＴ追加が成功しないとき、ＷＴは、ＷＴ追加要求拒否メッセージ（図示せず）を代わりに用いて応答する。
【００７８】
１０．ｅＮＢ５は、移動デバイス３が（例えば、ＲＲＣ接続再構成（RRCConnectionReconfiguration）メッセージを用いて）ｅＮＢ及び／又はＷＴ７を介してその接続を構成する際に用いる新たな無線リソース構成を含むメッセージを移動デバイス３に送信する。
【００７９】
１１．移動デバイス３は、この新たな構成を適用し、この新たな構成のセットアップに成功したことを示す適切なメッセージ（例えば、ＲＲＣ接続再構成完了（RRCConnectionReconfigurationComplete）メッセージ）を用いて返答する。
【００８０】
１２．移動デバイス３は、次に、移動デバイス３がＷＬＡＮにまだ関連付けられていな場合、選択されたＡＰとのＷＬＡＮ関連付けを実行する。
【００８１】
１３．移動デバイス３が、選択されたＡＰとのＷＬＡＮ関連付けの実行に成功すると、ＷＴ７は、これを確認するＷＴ関連付け確認メッセージを送信する。問題の移動デバイス３がＡＰに既に関連付けられている場合、ＷＴ７は、別の適切なメッセージタイプ（例えば、ＷＴ関連付け完了）を用いて応答する。
【００８２】
＜ＷＴ追加手順−変形形態２＞
図７は、図１の通信ネットワークにおいて、移動デバイス３、ｅＮＢ５及びＷＴ７の間で実行することができるＷＴ追加手順の第２の変形形態を簡略化した形態で示している。
【００８３】
図７の手順において、ｅＮＢ５及びＷＴ７は、以下のステップを実行する。
【００８４】
１．ｅＮＢ５は、ＬＷＡの移動デバイス無線アクセス能力の転送を移動デバイス３に要求する。この例では、メッセージは、「ＵＥ能力照会（UECapabilityEnquiry）」メッセージを含む。
【００８５】
２．移動デバイス３は、サポートされるＷＬＡＮ帯域を含むＬＷＡ能力を報告する。この例では、この報告は、「ＵＥ能力情報（UECapabilityInformation）」メッセージを用いて送信される。
【００８６】
ステップ１及び２は、ｅＮＢ５及び移動デバイス３がこれらのステップを以前に実行していた場合に、あらゆるＷＴ追加について繰り返されない場合があることが理解されるであろう。
【００８７】
この例では、ＷＴ手順とは独立に、移動デバイス３は、例えば、信号強度及びＷＬＡＮアクセス制御に基づいてその所望のＷＬＡＮ  ＡＰとの関連付けを非同期に行う。
【００８８】
３．ｅＮＢ５は、（例えば、国際移動加入者識別情報「ＩＭＳＩ」、又はＵＥ  ＭＡＣアドレス等のＵＥ  ＩＤによって）その移動デバイス３を特定するクエリメッセージ（例えば、ＵＥ関連付けクエリ）をＷＴ７に送信する。このクエリメッセージは、事実上、移動デバイスが以前に（又は現在）関連付けられているＡＰ（複数の場合もある）（又は移動デバイスがＣＳＧ情報によってアクセスを許可されるＡＰ（複数の場合もある））を特定する情報を要求するメッセージである。
【００８９】
４．問題の移動デバイス３が、そのＷＴ７のＡＰとの関連付けに以前に又は現在成功している場合、ＷＴ７は、移動デバイス３が以前に関連付けられている少なくとも１つのＡＰのＢＳＳＩＤを用いてそのようなクエリメッセージに応答する。この応答は、ＢＳＳＩＤと問題の移動デバイス３のＵＥ  ＩＤとの双方を含むＵＥ関連付け応答メッセージを含むことができる。
【００９０】
移動デバイス３が、ＷＴ７のいずれのＡＰとも接続していない場合、ＷＴは、移動デバイス３がその領域において許可されているか否かを（例えば、特定のＣＳＧのそのメンバーシップによって）特定する情報と、許可されている場合には、問題の移動デバイス３がアクセスを許可されている少なくとも１つのＡＰの識別情報（例えば、ＢＳＳＩＤ、ＳＳＩＤ又はＨＥＳＳＩＤ）とを用いて応答することができる。したがって、ＷＴ７からのこの情報に基づいて、ｅＮＢ５は、問題の移動デバイス３のためのＷＴ追加をそのＷＴ７とともに実行するか否かに関する決定を改善することができる。
【００９１】
ｅＮＢ５は、応答メッセージにおいて取得された情報を用いて、その後に続くＷＴ追加準備手順において用いられる特定されたＡＰを選択する。
【００９２】
５．ｅＮＢ５は、特定の移動デバイスのＬＴＥ−ＷＬＡＮアグリゲーションのリソースの準備を要求する要求メッセージ（例えば、ＷＴ追加要求）をＷＴ７に送信することを決定する。これは、選択されたＡＰ用に特定のＥ−ＲＡＢのＷＬＡＮリソースを配分するように適切なＷＴ７に要求する。
【００９３】
通常、ＷＴ追加要求メッセージは、特定の移動デバイスのＬＷＡベアラ（複数の場合もある）を特定する情報を含む。
【００９４】
６．ＷＴ７は、全ての又は部分的なＷＬＡＮリソース要求を認めることができる場合、確認応答メッセージ（例えば、ＷＴ追加要求確認応答）を用いて応答する。
【００９５】
通常、ＷＴ７において１つ以上のＧＰＲＳトンネリングプロトコル（ＧＴＰ）のトンネル（複数の場合もある）の確立に成功しているとき、ＷＴは、ＷＴ追加要求確認応答メッセージを用いて応答する。このメッセージは、ＬＷＡ用に確立に成功したベアラ及び確立に失敗したベアラを含む。
【００９６】
通常、ＷＴ追加が成功しないとき、ＷＴは、ＷＴ追加要求拒否メッセージ（図示せず）を代わりに用いて応答する。
【００９７】
７．ｅＮＢ５は、移動デバイス３が（例えば、ＲＲＣ接続再構成（RRCConnectionReconfiguration）メッセージを用いて）ｅＮＢ及び／又はＷＴ７を介してその接続を構成する際に用いる新たな無線リソース構成を含むメッセージを移動デバイス３に送信する。
【００９８】
８．移動デバイス３は、この新たな構成を適用し、この新たな構成のセットアップに成功したことを示す適切なメッセージ（例えば、ＲＲＣ接続再構成完了（RRCConnectionReconfigurationComplete）メッセージ）を用いて返答する。
【００９９】
９．ｅＮＢ５は、次に、Ｅ−ＵＴＲＡＮの無線アクセスベアラ（Ｅ−ＲＡＢ）変更表示によって特定のＷＬＡＮベアラ構成をセットアップするようにＷＴに要求する。
【０１００】
１０．ＷＴ７は、肯定的（例えば、Ｅ−ＲＡＢ変更確認を用いる）又は否定的（例えば、Ｅ−ＲＡＢ変更失敗を用いる）のいずれかでこの要求に応答する。
【０１０１】
ステップ９及び１０では、任意の適切なメッセージタイプを用いることができることが理解されるであろう。
【０１０２】
＜ＷＴ追加手順−変形形態３＞
図８は、図１の通信ネットワークにおいて、移動デバイス３、ｅＮＢ５及びＷＴ７の間で実行することができるＷＴ追加手順の第３の変形形態を簡略化した形態で示している。
【０１０３】
図８の手順において、ｅＮＢ５及びＷＴ７は、以下のステップを実行する。
【０１０４】
１．ｅＮＢ５は、ＬＷＡの移動デバイス無線アクセス能力の転送を移動デバイス３に要求する。この例では、メッセージは、「ＵＥ能力照会（UECapabilityEnquiry）」メッセージを含む。
【０１０５】
２．移動デバイス３は、サポートされるＷＬＡＮ帯域を含むＬＷＡ能力を報告する。この例では、この報告は、「ＵＥ能力情報（UECapabilityInformation）」メッセージを用いて送信される。
【０１０６】
ステップ１及び２は、ｅＮＢ５及び移動デバイス３がこれらのステップを以前に実行していた場合に、あらゆるＷＴ追加について繰り返されない場合があることが理解されるであろう。
【０１０７】
３．ｅＮＢ５は、ＵＥメンバーシップチェックメッセージを（例えば、ＵＥ  ＩＤによって特定されるような）特定の移動デバイス３のＷＴ７に送信する。このＵＥメンバーシップチェックメッセージは、事実上、特定された移動デバイス３のメンバーシップ検証手順を実行するようにＷＴに要求するメッセージである。
【０１０８】
４．ＷＴ７は、ＵＥメンバーシップチェックメッセージの受信に応答して、アクセス制御及び／又はメンバーシップ検証を行う。
【０１０９】
５．ＷＴ７は、問題の移動デバイス３がアクセスを許可される少なくとも１つのＡＰを特定する情報（例えば、ＢＳＳＩＤ、ＳＳＩＤ又はＨＥＳＳＩＤ）を搬送するＵＥメンバーシップ応答メッセージを生成して、ｅＮＢ５に送信する。
【０１１０】
したがって、ｅＮＢ５は、問題の移動デバイス３がアクセスを許可されるＡＰ（複数の場合もある）の知識に基づいてＷＬＡＮ測定を行うように問題の移動デバイス３を構成することができる。
【０１１１】
６．ｅＮＢ５は、適切な構成メッセージ（例えば、ＲＲＣ接続再構成（RRCConnectionReconfiguration）メッセージ）を送信することによってＵＥ  ＷＬＡＮ測定を構成する。
【０１１２】
７．移動デバイス３は、測定構成を適用し、要求された測定構成が完了したことの適切な確認応答（例えば、ＲＲＣ接続再構成完了（RRCConnectionReconfigurationComplete）メッセージ）を用いて返答する。
【０１１３】
８．移動デバイス３は、ステップ６において受信された測定構成（及びステップ７におけるセットアップ）に基づいてＷＬＡＮ情報を入手する。
【０１１４】
９．移動デバイス３は、対応する測定報告を生成して、ｅＮＢ５に送信する。
【０１１５】
１０．ｅＮＢ５は、特定の移動デバイスのＬＴＥ−ＷＬＡＮアグリゲーションのリソースの準備を要求する要求メッセージ（例えば、ＷＴ追加要求）をＷＴ７に送信することを決定する。これは、選択されたＡＰ用に特定のＥ−ＲＡＢのＷＬＡＮリソースを配分するように適切なＷＴ７に要求する。
【０１１６】
通常、ＷＴ追加要求メッセージは、特定の移動デバイスのＬＷＡベアラ（複数の場合もある）を特定する情報を含む。
【０１１７】
１１．ＷＴ７は、全ての又は部分的なＷＬＡＮリソース要求を認めることができる場合、確認応答メッセージ（例えば、ＷＴ追加要求確認応答）を用いて応答する。
【０１１８】
通常、ＷＴ７において１つ以上のＧＰＲＳトンネリングプロトコル（ＧＴＰ）のトンネル（複数の場合もある）の確立に成功しているとき、ＷＴは、ＷＴ追加要求確認応答メッセージを用いて応答する。このメッセージは、ＬＷＡ用に確立に成功したベアラ及び確立に失敗したベアラを含む。
【０１１９】
通常、ＷＴ追加が成功しないとき、ＷＴは、ＷＴ追加要求拒否メッセージ（図示せず）を代わりに用いて応答する。
【０１２０】
１２．ｅＮＢ５は、移動デバイス３が（例えば、ＲＲＣ接続再構成（RRCConnectionReconfiguration）メッセージを用いて）ｅＮＢ及び／又はＷＴ７を介してその接続を構成する際に用いる新たな無線リソース構成を含むメッセージを移動デバイス３に送信する。
【０１２１】
１３．移動デバイス３は、この新たな構成を適用し、この新たな構成のセットアップに成功したことを示す適切なメッセージ（例えば、ＲＲＣ接続再構成完了（RRCConnectionReconfigurationComplete）メッセージ）を用いて返答する。
【０１２２】
１４．移動デバイス３は、次に、選択されたＡＰとのＷＬＡＮ関連付けを実行する。
【０１２３】
１５．移動デバイス３が、選択されたＡＰとのＷＬＡＮ関連付けの実行に成功すると、ＷＴ７は、これを確認するＷＴ関連付け確認メッセージを送信する。
【０１２４】
＜ＷＴ追加手順−変形形態４＞
図９は、図１の通信ネットワークにおいて、移動デバイス３、ｅＮＢ５及びＷＴ７の間で実行することができるＷＴ追加手順の第４の変形形態を簡略化した形態で示している。
【０１２５】
図９の手順において、移動デバイス３、ｅＮＢ５及びＷＴ７は、以下のステップを実行する。
【０１２６】
１．ｅＮＢ５は、ＬＷＡの移動デバイス無線アクセス能力の転送を移動デバイス３に要求する。この例では、メッセージは、「ＵＥ能力照会（UECapabilityEnquiry）」メッセージを含む。
【０１２７】
２．移動デバイス３は、サポートされるＷＬＡＮ帯域を含むＬＷＡ能力を報告する。この例では、この報告は、「ＵＥ能力情報（UECapabilityInformation）」メッセージを用いて送信される。
【０１２８】
ステップ１及び２は、ｅＮＢ５及び移動デバイス３がこれらのステップを以前に実行していた場合に、あらゆるＷＴ追加について繰り返されない場合があることが理解されるであろう。
【０１２９】
３．ｅＮＢ５は、適切な構成メッセージ（例えば、ＲＲＣ接続再構成（RRCConnectionReconfiguration）メッセージ）を送信することによってＵＥ  ＷＬＡＮ測定を構成する。
【０１３０】
４．移動デバイス３は、測定構成を適用し、要求された測定構成が完了したことの適切な確認応答（例えば、ＲＲＣ接続再構成完了（RRCConnectionReconfigurationComplete）メッセージ）を用いて返答する。
【０１３１】
５．移動デバイス３は、ステップ３において受信された測定構成（及びステップ４におけるセットアップ）に基づいてＷＬＡＮ情報を入手する。
【０１３２】
６．移動デバイス３は、対応する測定報告を生成して、ｅＮＢ５に送信する。
【０１３３】
７．ｅＮＢ５は、特定の移動デバイスのＬＴＥ−ＷＬＡＮアグリゲーションのリソースの準備を要求する要求メッセージ（例えば、ＷＴ追加要求）をＷＴ７に送信することを決定する。これは、選択されたＡＰ用に特定のＥ−ＲＡＢのＷＬＡＮリソースを配分するように適切なＷＴ７に要求する。
【０１３４】
通常、ＷＴ追加要求メッセージは、特定の移動デバイスのＬＷＡベアラ（複数の場合もある）を特定する情報を含む。
【０１３５】
８．ＷＴ７は、全ての又は部分的なＷＬＡＮリソース要求を認めることができる場合、確認応答メッセージ（例えば、ＷＴ追加要求確認応答）を用いて応答する。
【０１３６】
通常、ＷＴ７において１つ以上のＧＰＲＳトンネリングプロトコル（ＧＴＰ）のトンネル（複数の場合もある）の確立に成功しているとき、ＷＴは、ＷＴ追加要求確認応答メッセージを用いて応答する。このメッセージは、ＬＷＡ用に確立に成功したベアラ及び確立に失敗したベアラを含む。
【０１３７】
通常、ＷＴ追加が成功しないとき、ＷＴは、ＷＴ追加要求拒否メッセージ（図示せず）を代わりに用いて応答する。
【０１３８】
９．ｅＮＢ５は、移動デバイス３が（例えば、ＲＲＣ接続再構成（RRCConnectionReconfiguration）メッセージを用いて）ｅＮＢ及び／又はＷＴ７を介してその接続を構成する際に用いる新たな無線リソース構成を含むメッセージを移動デバイス３に送信する。
【０１３９】
１０．移動デバイス３は、この新たな構成を適用し、この新たな構成のセットアップに成功したことを示す適切なメッセージ（例えば、ＲＲＣ接続再構成完了（RRCConnectionReconfigurationComplete）メッセージ）を用いて返答する。
【０１４０】
１１．移動デバイス３は、次に、選択されたＡＰとのＷＬＡＮ関連付けを実行することを試みる。
【０１４１】
１２．移動デバイス３の関連付けの試みが失敗した場合、ＷＴは、失敗の原因（例えば、無線の理由によるもの、関連付けを妨げるアクセス制御等）を求める。
【０１４２】
１３．影響を受けるＷＴ７は、失敗だけでなく、失敗の原因（例えば、無線の理由によるもの、アクセス制御の失敗等）も、例えば、失敗表示メッセージ（例えば、ＷＴ関連付け失敗（失敗原因を有する））を用いてｅＮＢ５に通知する。
【０１４３】
したがって、失敗の原因を特定するこの情報に基づいて、特定の移動デバイス３の通信にＡＰを用いようとする試みがアクセス制御の失敗によって以前に不成功であるとき、ｅＮＢ５は、そのような試みを回避することができる。
【０１４４】
そうではなく、移動デバイス３が、選択されたＡＰ（例えば、変形形態１）とのＷＬＡＮ関連付けの実行に成功した場合、ＷＴ７は、これを確認するＷＴ関連付け確認メッセージを送信する。
【０１４５】
概説において事前に示したように、ステップ１３において、ＡＰが失敗の通知を失敗の原因とともに提供するのではなく、点線のボックス内において点線の矢印によって示すように、移動デバイス３がこの情報を提供してもよい。
【０１４６】
＜ＷＴ開始Ｘｗ除去＞
図１０は、図１の通信ネットワークにおいてｅＮＢ５とＷＴ７との間で実行することができる、ＷＴ開始Ｘｗ除去手順を簡略化した形態で示している。
【０１４７】
図１０のＷＴ７に見られるように、ＷＴ７が、（例えば、ＷＴのＷＬＡＮがメンテナンスの理由によって利用不能であるか又は過負荷状態にあるため）Ｘｗインターフェースが除去されることを所望しているとき、ＷＴ７は、インターフェースの除去をトリガーする関連付けられた要求（例えば、ｅＮＢへのＸｗ除去要求）を送信することによってＸｗの除去をトリガーすることができる。ｅＮＢ５は、要求の成功（又は場合によっては失敗）を示す応答メッセージ（例えば、Ｘｗ除去応答メッセージ）を用いて応答する。
【０１４８】
この除去の要求は、要求の原因（例えば、メンテナンス、過負荷等）を示す除去原因を含むことができることが理解されるであろう。
【０１４９】
ｅＮＢも、必要なときにＸｗ除去を同様にトリガーすることができることが理解されるであろう。
【０１５０】
＜利益、変更形態及び代替形態＞
上記で、詳細な例示的な実施形態が説明されてきた。当業者であれば理解するように、上記の実施形態において具現される発明から依然として利益を享受しながら、上記の実施形態に対して複数の変更形態及び代替形態を実施することができる。例示としてのみ、ここで、これらの代替形態及び変更形態のうちの幾つかを説明する。
【０１５１】
上記の実施形態では、移動デバイスはセルラー電話である。上記の実施形態は、例えば、携帯情報端末、ラップトップコンピューター、ウェブブラウザー等の移動電話以外のデバイスを用いて実施され得ることが理解されよう。上記の実施形態は、非移動型又は概ね固定式のユーザー機器にも適用可能である。
【０１５２】
上記実施形態の利点は、新たなＷＬＡＮ関連コアネットワークシグナリングが必要とされず、したがって、コアネットワークの負荷が削減されることであることが理解されるであろう。
【０１５３】
ＣＳＧ加入データが、ホーム加入者サーバー（ＨＳＳ）又は在圏ロケーションレジスタ（ＶＬＲ）において構成及び保持された運用、監督及び管理（ＯＡＭ）である従来のＨ（ｅ）ＮＢの場合にアクセス制御が機能する方法と異なり、ＵＥ−ＷＬＡＮ加入は、ＨＳＳ／ＶＬＲに利用可能でないことが理解されるであろう。しかしながら、上記例に関する一変形形態では、加入データは、ＷＴによってｅＮＢに供給することができ、ＨＳＳ／ＶＬＲによって用いられるようにｅＮＢからＥＰＣに供給することができる。この例では、ＷＴが、当該ＷＴのＡＰのそれぞれへのアクセスを許可される移動デバイスを特定する情報（ＢＳＳＩＤ、ＳＳＩＤ又はＨＥＳＳＩＤ）を渡す新たなＸｗ手順を提供することができる。このように、ＨＳＳ／ＶＬＲは、有利には、Ｈ（ｅ）ＮＢの場合に現在実行されるのと同様の方法で移動デバイスのメンバーシップ検証を実行することができる。
【０１５４】
上記実施形態では、複数のソフトウェアモジュールが説明されている。当業者であれば理解するように、これらのソフトウェアモジュールは、コンパイルされた形態で提供することもできるし、コンパイルされていない形態で提供することもでき、コンピューターネットワークにわたる信号又は記録媒体上の信号として移動デバイス、ｅＮＢ又はＷＴに供給することができる。さらに、このソフトウェアの一部又は全てによって実行される機能は、１つ以上の専用のハードウェア回路を用いて実行することができる。
【０１５５】
特に有利な例では、セルラー通信システムの通信装置であって、コントローラー及び送受信機を備え、上記コントローラーは、上記送受信機を制御して、上記セルラー通信システムの該通信装置と無線ローカルエリアネットワーク（ＷＬＡＮ）の通信装置との間のインターフェースをセットアップするインターフェースセットアップ手順に従って、上記ＷＬＡＮの上記通信装置と通信するように動作可能であり、上記インターフェースセットアップ手順の一部として、上記コントローラーは、上記送受信機を制御して、インターフェースセットアップ要求メッセージを上記ＷＬＡＮの上記通信装置に送信することと、上記インターフェースセットアップ要求メッセージに応答して、インターフェースセットアップ応答メッセージを受信することであって、該インターフェースセットアップ応答メッセージは、上記ＷＬＡＮの少なくとも１つのアクセスポイント（ＡＰ）のアクセスモードを特定する情報を含むこととを行うように動作可能であり、上記コントローラーは、上記インターフェースセットアップ手順に基づいて上記セルラー通信システムの該通信装置において上記インターフェースをセットアップするように動作可能である、通信装置が提供される。
【０１５６】
上記コントローラーは、上記送受信機を制御して、上記セルラー通信システムの上記通信装置によってサービングされる通信デバイスのコンテキストを上記無線ローカルエリアネットワーク（ＷＬＡＮ）の上記通信装置において確立する手順（例えば、ＷＬＡＮ終端器「ＷＴ」追加手順）に従って上記ＷＬＡＮの上記通信装置と通信するように動作可能とすることができる。
【０１５７】
上記通信デバイスのコンテキストを確立する手順の一部として、上記コントローラーは、上記送受信機を制御して、上記通信デバイスがアクセスすることができる少なくとも１つのアクセスポイントを特定する情報を受信するように動作可能とすることができる。
【０１５８】
上記コントローラーは、上記送受信機を制御して、上記通信デバイスがアクセスすることができる少なくとも１つのアクセスポイントを特定する上記情報を上記通信デバイスから受信するように動作可能とすることができる。
【０１５９】
上記コントローラーは、上記送受信機を制御して、測定報告と、上記通信デバイスの少なくとも１つの能力を特定する情報を提供するメッセージ（例えば、ＵＥ能力情報メッセージ）と、上記通信デバイスと少なくとも１つのＡＰとの間の関連付けを示す情報を提供する専用メッセージ（例えば、ＵＥ関連付けメッセージ）とのうちの少なくとも１つにおいて、上記通信デバイスがアクセスすることができる少なくとも１つのアクセスポイントを特定する上記情報を上記通信デバイスから受信するように動作可能とすることができる。
【０１６０】
上記コントローラーは、上記送受信機を制御して、上記通信デバイスがアクセスすることができる少なくとも１つのアクセスポイントを特定する上記情報を上記ＷＬＡＮの上記通信装置から受信するように動作可能とすることができる。
【０１６１】
上記コントローラーは、上記送受信機を制御して、上記通信デバイスと少なくとも１つのＡＰとの間の関連付けを示す情報を提供する専用メッセージ（例えば、ＵＥ関連付け情報メッセージ）において、上記通信デバイスがアクセスすることができる少なくとも１つのアクセスポイントを特定する上記情報を上記ＷＬＡＮの上記通信装置から受信するように動作可能とすることができる。
【０１６２】
上記コントローラーは、上記送受信機を制御して、上記通信デバイスと少なくとも１つのＡＰとの間の関連付けを示す情報を要求する専用メッセージ（例えば、ＵＥ関連付けクエリメッセージ）を上記ＷＬＡＮの上記通信装置に送信するように動作可能とすることができ、上記通信デバイスと少なくとも１つのＡＰとの間の関連付けを示す情報を提供する上記専用メッセージは、上記通信デバイスと少なくとも１つのＡＰとの間の関連付けを示す情報を要求する上記メッセージに応答して、上記ＷＬＡＮの上記通信装置によって提供することができる。
【０１６３】
上記コントローラーは、上記送受信機を制御して、上記通信デバイスについてメンバーシップチェックが上記ＷＬＡＮの上記通信装置によって実行されることを要求するメッセージ（例えば、ＵＥメンバーシップチェックメッセージ）を上記ＷＬＡＮの上記通信装置に送信し、上記メンバーシップチェックが実行されることを要求するメッセージに応答して送信されたメッセージ（例えば、ＵＥメンバーシップ応答メッセージ）において、上記通信デバイスがアクセスすることができる少なくとも１つのアクセスポイントを特定する上記情報を上記ＷＬＡＮの上記通信装置から受信するように動作可能とすることができる。
【０１６４】
上記通信デバイスのコンテキストを確立する手順の一部として、上記コントローラーは、上記送受信機を制御して、上記通信デバイス及び上記ＷＬＡＮの上記通信装置のうちの少なくとも一方から、上記通信デバイスが少なくとも１つのアクセスポイントにアクセスすることができないことを示すメッセージを受信するように動作可能とすることができる。
【０１６５】
上記通信デバイスが少なくとも１つのアクセスポイントにアクセスすることができないことを示す上記メッセージは、上記通信デバイスを上記ＷＬＡＮのアクセスポイントに関連付けることに失敗したことを、アクセス制御が該関連付けを妨げたことを示すように設定された失敗原因とともに示すメッセージ（例えば、ＷＴ関連付け失敗メッセージ）を含むことができる。
【０１６６】
上記コントローラーは、上記送受信機を制御して、無線ローカルエリアネットワーク（ＷＬＡＮ）の上記通信装置と、上記インターフェースを除去するＷＬＡＮトリガー手順に従って通信するように動作可能とすることができる。
【０１６７】
上記インターフェースを除去する上記ＷＬＡＮトリガー手順の一部として、上記コントローラーは、上記送受信機を制御して、上記ＷＬＡＮの上記通信装置からインターフェース除去要求メッセージを受信することと、上記インターフェース除去要求メッセージに応答して、インターフェース除去応答メッセージを上記ＷＬＡＮの上記通信装置に送信することとを行うように動作可能とすることができ、上記コントローラーは、上記インターフェースを除去する上記ＷＬＡＮトリガー手順に基づいて、上記セルラー通信システムの上記通信装置において上記インターフェースを除去するように動作可能とすることができる
【０１６８】
上記インターフェース除去応答メッセージは、上記除去の原因を含むことができる。
【０１６９】
特に有利な例では、無線ローカルエリアネットワーク（ＷＬＡＮ）の通信装置であって、コントローラー及び送受信機を備え、上記コントローラーは、上記送受信機を制御して、セルラー通信システムの通信装置と上記ＷＬＡＮの該通信装置との間のインターフェースをセットアップするインターフェースセットアップ手順に従って、上記セルラー通信システムの上記通信装置と通信するように動作可能であり、上記インターフェースセットアップ手順の一部として、上記コントローラーは、上記送受信機を制御して、上記セルラー通信システムの上記通信装置からインターフェースセットアップ要求メッセージを受信することと、上記インターフェースセットアップ要求メッセージに応答して、上記セルラー通信システムの上記通信装置にインターフェースセットアップ応答メッセージを送信することであって、該インターフェースセットアップ応答メッセージは、上記ＷＬＡＮの少なくとも１つのアクセスポイント（ＡＰ）のアクセスモードを特定する情報を含むこととを行うように動作可能であり、上記コントローラーは、上記インターフェースセットアップ手順に基づいて上記ＷＬＡＮの該通信装置において上記インターフェースをセットアップするように動作可能である、通信装置が提供される。
【０１７０】
特に有利な例では、上記に記載のセルラー通信システムの少なくとも１つの通信装置と、上記に記載の無線ローカルエリアネットワーク（ＷＬＡＮ）通信システムの少なくとも１つの通信装置と、通信デバイスとを備える通信システムが提供される。
【０１７１】
特に有利な例では、セルラー通信システムの通信装置によって実行される方法であって、上記セルラー通信システムの上記通信装置と無線ローカルエリアネットワーク（ＷＬＡＮ）の通信装置との間のインターフェースをセットアップするインターフェースセットアップ手順に従って、上記ＷＬＡＮの上記通信装置と通信することを含み、上記インターフェースセットアップ手順は、上記ＷＬＡＮの上記通信装置にインターフェースセットアップ要求メッセージを送信することと、上記インターフェースセットアップ要求メッセージに応答して、インターフェースセットアップ応答メッセージを受信することであって、該インターフェースセットアップ応答メッセージは、上記ＷＬＡＮの少なくとも１つのアクセスポイント（ＡＰ）のアクセスモードを特定する情報を含むことと、上記セルラー通信システムの上記通信装置において上記インターフェースをセットアップすることとを含む、方法が提供される。
【０１７２】
特に有利な例では、無線ローカルエリアネットワーク（ＷＬＡＮ）の通信装置によって実行される方法であって、セルラー通信システムの通信装置と上記ＷＬＡＮの上記通信装置との間のインターフェースをセットアップするインターフェースセットアップ手順に従って、上記セルラー通信システムの上記通信装置と通信することを含み、上記インターフェースセットアップ手順は、上記セルラー通信システムの上記通信装置からインターフェースセットアップ要求メッセージを受信することと、上記インターフェースセットアップ要求メッセージに応答して、上記セルラー通信システムの上記通信装置にインターフェースセットアップ応答メッセージを送信することであって、該インターフェースセットアップ応答メッセージは、上記ＷＬＡＮの少なくとも１つのアクセスポイント（ＡＰ）のアクセスモードを特定する情報を含むことと、上記ＷＬＡＮの上記通信装置において上記インターフェースをセットアップすることとを含む、方法が提供される。
【０１７３】
特に有利な例では、セルラー通信システムの通信装置であって、コントローラー及び送受信機を備え、上記コントローラーは、上記送受信機を制御して、上記セルラー通信システムの該通信装置によってサービングされる通信デバイスのコンテキストを無線ローカルエリアネットワーク（ＷＬＡＮ）の通信装置において確立する手順（例えば、ＷＬＡＮ終端器「ＷＴ」追加手順）に従って、上記ＷＬＡＮの上記通信装置と通信するように動作可能であり、上記通信デバイスのコンテキストを確立する手順の一部として、上記コントローラーは、上記送受信機を制御して、上記通信デバイスがアクセスすることができる少なくとも１つのアクセスポイントを特定する情報を受信するように動作可能である、通信装置が提供される。
【０１７４】
別の特に有利な例では、セルラー通信システムの通信装置であって、コントローラー及び送受信機を備え、上記コントローラーは、上記送受信機を制御して、上記インターフェースを除去するＷＬＡＮトリガー手順に従って無線ローカルエリアネットワーク（ＷＬＡＮ）の上記通信装置と通信するように動作可能であり、上記インターフェースを除去する上記ＷＬＡＮトリガー手順の一部として、上記コントローラーは、上記送受信機を制御して、上記ＷＬＡＮの上記通信装置からインターフェース除去要求メッセージを受信し、該インターフェース除去要求メッセージに応答して、インターフェース除去応答メッセージを上記ＷＬＡＮの上記通信装置に送信するように動作可能であり、上記コントローラーは、上記インターフェースを除去する上記ＷＬＡＮトリガー手順に基づいて上記セルラー通信システムの該通信装置において上記インターフェースを除去するように動作可能である、通信装置が提供される。
【０１７５】
別の特に有利な例では、セルラー通信システムの通信デバイスであって、コントローラー及び送受信機を備え、上記コントローラーは、上記送受信機を制御して、無線ローカルエリアネットワーク（ＷＬＡＮ）の通信装置において該通信デバイスのコンテキストを確立する手順（例えば、ＷＬＡＮ終端器「ＷＴ」追加手順）に従って、セルラー通信システムの通信装置と通信するように動作可能であり、該通信デバイスのコンテキストを確立する上記手順の一部として、上記コントローラーは、上記送受信機を制御して、測定報告と、該通信デバイスの少なくとも１つの能力を特定する情報を提供するメッセージ（例えば、ＵＥ能力情報メッセージ）と、該通信デバイスと少なくとも１つのＡＰとの間の関連付けを示す情報を提供する専用メッセージ（例えば、ＵＥ関連付けメッセージ）とのうちの少なくとも１つにおいて、該通信デバイスがアクセスすることができる少なくとも１つのアクセスポイントを特定する情報を提供するように動作可能である、通信デバイスが提供される。
【０１７６】
別の特に有利な例では、セルラー通信システムの通信デバイスであって、コントローラー及び送受信機を備え、上記コントローラーは、上記送受信機を制御して、無線ローカルエリアネットワーク（ＷＬＡＮ）の通信装置において該通信デバイスのコンテキストを確立する手順（例えば、ＷＬＡＮ終端器「ＷＴ」追加手順）に従って、セルラー通信システムの通信装置と通信するように動作可能であり、上記コントローラーは、上記送受信機を制御して、上記通信デバイスが少なくとも１つのアクセスポイントにアクセスすることができないことを示すメッセージを上記セルラー通信システムの上記通信装置に送信するように動作可能である、通信デバイスが提供される。
【０１７７】
種々の他の変更は当業者には明らかであり、ここでは、これ以上詳しくは説明しない。
【０１７８】
本出願は、２０１５年１１月６日に出願された英国特許出願第１５１９６８２．７号を基礎としており、この英国特許出願の優先権の利益を主張する。この英国特許出願の開示は、引用することによりその全体が本明細書の一部をなす。
【図１】
0006658901.tif 000003
【図２】
0006658901.tif 000004
【図３】
0006658901.tif 000005
【図４】
0006658901.tif 000006
【図５】
0006658901.tif 000007
【図６】
0006658901.tif 000008
【図７】
0006658901.tif 000009
【図８】
0006658901.tif 000010
【図９】
0006658901.tif 000011
【図１０】
0006658901.tif 000012